(57)【要約】  少なくとも１つの注射器ポートを有するハウジングと、その中に係合された少なくとも１つの注射器と接続してそれを作動するように構成された流体制御装置とを含む、患者に流体を送達するシステム。流体制御装置は、流体送達を制御し、１つ以上のポータブルコンピュータと無線で通信するように構成されたプロセッサを含む。ポータブルコンピュータは、流体制御装置、ユーザインターフェース、患者記録データベース、撮像装置、第２のコンピュータ、サーバ、無線ネットワーク、またはそれらの組み合わせから１つ以上の流体送達パラメータを受信し、受信したデータに少なくとも部分的に基づいて、流体送達パラメータに関する情報を含むディスプレイを生成するようにプログラムまたは構成することができる。流体制御装置は、ポータブルコンピュータから受信した指示に少なくとも部分的に基づいて、１つ以上の制御オプションを実行するようにさらに構成またはプログラムされる。
2018519883.tif 000002
【特許請求の範囲】
【請求項１】
患者に流体を送達するシステムであって、
少なくとも１つの注射器に解除可能に係合するように構成された少なくとも１つの注射器ポートを備える注入器ハウジングと、
前記少なくとも１つの注射器ポートに係合された前記少なくとも１つの注射器と接続して前記少なくとも１つの注射器を作動させるように構成された流体制御装置であって、少なくとも１人の患者への少なくとも１つの流体の流体送達を制御し、少なくとも１つのポータブルコンピュータと通信するようにプログラムされたまたは構成された少なくとも１つのプロセッサを備える流体制御装置とを備え、
前記少なくとも１つのポータブルコンピュータは、前記流体制御装置、ユーザインターフェース、撮像装置、患者記録データベース、第２のコンピュータ、サーバ、病院ネットワーク、無線ネットワーク、またはそれらの任意の組み合わせのうちの少なくとも１つとの間で、少なくとも１つの流体送達パラメータを受信または送信し、前記受信および／または送信されたデータに少なくとも部分的に基づいて、前記少なくとも１つの流体送達パラメータに関する情報を含むディスプレイを生成するようにプログラムされまたは構成され、
前記流体制御装置は、前記少なくとも１つのポータブルコンピュータから受信および／または送信された指示に少なくとも部分的に基づいて、少なくとも１つの制御オプションを実行するように構成またはプログラムされる、システム。
【請求項２】
前記少なくとも１つのポータブルコンピュータは、ラップトップコンピュータ、タブレットコンピュータ、スマートフォン、パーソナル・データ・アシスタント装置、ハンドヘルドコンピュータ、またはそれらの任意の組み合わせのうちの少なくとも１つからなる、請求項１に記載のシステム。
【請求項３】
前記少なくとも１つのポータブルコンピュータは、前記流体制御装置と無線通信および任意で有線通信するようにさらに構成される、請求項１または２に記載のシステム。
【請求項４】
前記注入器ハウジングは支持部に回転可能に結合され、前記注入器ハウジングと前記支持部のうちの少なくとも１つは、前記少なくとも１つのポータブルコンピュータに解除可能に係合するように構成されたドッキングステーションをさらに備える、請求項１から３のいずれか一項に記載のシステム。
【請求項５】
前記ドッキングステーションは、前記少なくとも１つのポータブルコンピュータが前記ドッキングステーションに係合している時、前記少なくとも１つのポータブルコンピュータと接続し、前記流体制御装置、ユーザインターフェース、撮像装置、患者記録データベース、第２のコンピュータ、サーバ、電源、またはそれらの任意の組み合わせのうちの少なくとも１つへの少なくとも１つの有線接続を、前記少なくとも１つのポータブルコンピュータに提供するように構成されたポートをさらに備える、請求項４に記載のシステム。
【請求項６】
前記ドッキングステーションは、前記支持部に対して前記注入器ハウジングと共に回転可能なように前記注入器ハウジングに結合され、
前記ディスプレイは、前記ポータブルコンピュータおよび前記注入器ハウジングのうちの少なくとも１つに生成され、
前記注入器ハウジング、前記支持部、および前記少なくとも１つのポータブルコンピュータのうちの少なくとも１つは、少なくとも、前記少なくとも１つのポータブルコンピュータが前記ドッキングステーションに係合している間、または、前記少なくとも１つのポータブルコンピュータが係合解除され、手で持てる状態にある間、前記少なくとも１つのポータブルコンピュータの向きを検出し、前記向きを前記少なくとも１つのポータブルコンピュータに通知するように構成されたまたはプログラムされた方位センサをさらに備え、
前記少なくとも１つのポータブルコンピュータは、前記方位センサから受信したデータに少なくとも部分的に基づいて、前記生成されたディスプレイの向きを調整するようにプログラムされるまたは構成される、請求項４または５に記載のシステム。
【請求項７】
前記方位センサは、ジャイロセンサ、機械センサ、磁気センサ、光学センサ、またはそれらの任意の組み合わせのうちの少なくとも１つからなり、前記少なくとも１つのポータブルコンピュータは、前記注入器ハウジングの回転中に、前記生成されたディスプレイの前記向きを垂直な向きに連続的または不連続的に調整するようにプログラムされるまたは構成される、請求項６に記載のシステム。
【請求項８】
前記少なくとも１つのポータブルコンピュータは、円形タッチスクリーン、楕円形タッチスクリーン、長円形タッチスクリーン、および四辺形タッチスクリーンのうちの少なくとも１つを備える、請求項１から７のいずれか一項に記載のシステム。
【請求項９】
前記少なくとも１つのポータブルコンピュータは、機械的結合および磁気的結合のうちの少なくとも１つによって前記注入器ハウジングに取り付けられたドッキングステーションと解除可能に係合するように構成される、請求項１から８のいずれかに一項に記載のシステム。
【請求項１０】
前記少なくとも１つのポータブルコンピュータは、前記少なくとも１つのポータブルコンピュータがドッキングステーションに係合している時に充電するように構成された充電式バッテリをさらに備える、請求項１から９のいずれか一項に記載のシステム。
【請求項１１】
前記少なくとも１つの制御オプションは、前記少なくとも１つの流体の送達を開始すること、前記少なくとも１つの流体の送達を停止すること、前記少なくとも１つの流体の送達速度を変更すること、前記少なくとも１つの流体の予めプログラムされた流体送達プロトコルを呼び出すことおよび／または実行すること、特定量の前記少なくとも１つの流体を送達すること、前記少なくとも１つの流体を特定の順序および／または比率で送達すること、またはそれらの任意の組み合わせのうちの少なくとも１つを含む、請求項１から１０のいずれか一項に記載のシステム。
【請求項１２】
前記流体制御装置と通信する二次コントローラをさらに備え、
前記二次コントローラは、前記注入器ハウジングの一部に結合されるか、前記注入器ハウジングの一部を形成し、
前記二次コントローラは、前記少なくとも１つの流体の送達を開始することおよび前記少なくとも１つの流体の送達を停止することのうちの少なくとも１つを含む、前記少なくとも１つの制御オプションの少なくとも１つのサブセットを実行するように構成されるまたはプログラムされる、請求項１から１１のいずれか一項に記載のシステム。
【請求項１３】
前記少なくとも１つのポータブルコンピュータがドッキングステーション内に係合している時に、前記二次コントローラが少なくとも部分的に物理的に覆い隠され、かつ／または動作不能にされるように、前記二次コントローラは配置される、請求項１２に記載のシステム。
【請求項１４】
前記流体制御装置および前記少なくとも１つのポータブルコンピュータのうちの少なくとも１つと通信する少なくとも１つの注射器検出部をさらに備え、前記注射器検出部は、前記少なくとも１つの注射器の少なくとも１つの識別特性を検出し、前記流体制御装置および前記少なくとも１つのポータブルコンピュータのうちの少なくとも１つに、前記少なくとも１つの識別特性を通知するように構成されるまたはプログラムされる、請求項１から１３のいずれか一項に記載のシステム。
【請求項１５】
前記流体制御装置および前記少なくとも１つのポータブルコンピュータのうちの少なくとも１つは、前記注射器検出部から受信したデータに少なくとも部分的に基づいて、流体送達が行われるのを防ぐこと、不適合であるか、以前に使用されているか、未承認の注射器が前記少なくとも１つの注射器ポートに取り付けられた場合に警告を与えること、不適合であるか、以前に使用されているか、未承認の注射器が前記少なくとも１つの注射器ポートに取り付けられた場合にユーザにオーバーライドを要求すること、予めプログラムされた流体送達プロトコルの少なくとも一部を呼び出すこと、またはそれらの任意の組み合わせのうちの少なくとも１つを行うようにさらに構成されるまたはプログラムされる、請求項１４に記載のシステム。
【請求項１６】
前記注射器検出部は、カメラ、無線周波数受信機、光学ラベル読取機、磁気センサ、光学センサ、機械センサ、またはそれらの任意の組み合わせのうちの少なくとも１つを備え、前記流体制御装置および前記少なくとも１つのポータブルコンピュータのうちの少なくとも１つは、前記少なくとも１つの識別特性が少なくとも１つの所定の認可特性を含むか、認定ユーザからオーバーライドコマンドを受信した場合を除いて、流体送達が行われるのを防ぐようにさらに構成されるまたはプログラムされる、請求項１４または１５に記載のシステム。
【請求項１７】
前記少なくとも１つの識別特性は、前記注射器の種類の表示、前記注射器のブランドの表示、前記注射器に適量の流体が充填されていることの表示、前記注射器が以前に使用されていることを示す表示、前記注射器がその保存期間を過ぎているかどうかの表示、有効期限、ロット番号、製造日、製造設備、またはそれらの任意の組み合わせのうちの少なくとも１つを含む、請求項１４から１６のいずれか一項に記載のシステム。
【請求項１８】
前記流体制御装置および前記少なくとも１つのポータブルコンピュータのうちの少なくとも１つと通信し、かつ／または一体化した少なくとも１つのユーザ識別情報検出器をさらに備え、前記流体制御装置および前記少なくとも１つのポータブルコンピュータのうちの少なくとも１つは、前記少なくとも１つのユーザ識別情報検出器から受信したデータに少なくとも部分的に基づいて、認定され、確認されたユーザが流体送達を行うことを選択的に可能にするようにさらに構成されるまたはプログラムされる、請求項１から１７のいずれか一項に記載のシステム。
【請求項１９】
前記ユーザ識別情報検出器は、バイオメトリックスキャナ、ＩＤカードリーダ、マイクロフォン、パスワード保護された機械可読媒体、複数のポータブルコンピュータのうちのどれが前記流体制御装置に指示を与えているかを特定するように構成されるまたはプログラムされたポータブルコンピュータ識別センサ、またはそれらの任意の組み合わせのうちの少なくとも１つを備える、請求項１８に記載のシステム。
【請求項２０】
前記流体制御装置および前記少なくとも１つのポータブルコンピュータのうちの少なくとも１つと通信する近接センサをさらに備え、前記流体制御装置および前記少なくとも１つのポータブルコンピュータのうちの少なくとも１つは、前記近接センサから受信した情報に少なくとも部分的に基づいて、前記少なくとも１つのポータブルコンピュータが前記流体制御装置から安全制御距離よりも離れたところに位置する場合に、少なくとも１つの警告を生成し、かつ／またはユーザが流体送達を開始するのを防ぐようにさらに構成されるまたはプログラムされる、請求項１から１９のいずれか一項に記載のシステム。
【請求項２１】
前記少なくとも１つの流体送達パラメータは、流体送達指示、流体送達流量、流体送達継続時間、全流体送達量、残量、第１の注入流体の第２の注入流体に対する比率、流体送達流体濃度、流体送達流体識別情報、少なくとも２つの流体を送達するための順序および／または比率、予めプログラムされた流体送達プロトコル、またはそれらの任意の組み合わせのうちの１つ以上を含む、請求項１から２０のいずれか一項に記載のシステム。
【請求項２２】
少なくとも１つの注射器に解除可能に係合するように構成された少なくとも１つの注射器ポートを備えるハウジングと、
前記少なくとも１つの注射器ポートに係合された少なくとも１つの注射器と接続して前記少なくとも１つの注射器を作動させるように構成された流体制御装置であって、流体送達を制御し、少なくとも１つのポータブルコンピュータと通信するようにプログラムされたまたは構成された少なくとも１つのプロセッサを備える流体制御装置と、
格納位置から展開位置まで可逆的に動いて、注入器アセンブリの上方に伸びるように構成された格納式ポールであって、少なくとも１つの多回投与流体容器を吊るすための少なくとも１つの吊り下げ機能を備える格納式ポールを備える支持部と、
を備える注入器アセンブリ。
【請求項２３】
前記支持部は、前記格納式ポールと可逆的に係合し、かつ前記格納式ポールを少なくとも１つのロック位置に解除可能にロックするように構成されたキャッチをさらに備え、
前記少なくとも１つの吊り下げ機能は少なくとも１つの回動フックを含み、前記少なくとも１つの回動フックは、前記回動フックの少なくとも一部が前記格納式ポールの支持部材内に実質的に収容される格納位置から、前記回動フックの少なくとも一部が前記支持部材から離れるように伸びる展開位置まで回動可能であり、
前記少なくとも１つの多回投与流体容器は、生理食塩水バッグ、多回投与薬液容器、多回投与量のコントラストまたは造影剤を含む容器、またはそれらの任意の組み合わせから選択され、
前記少なくとも１つの吊り下げ機能は、前記少なくとも１つの吊り下げ機能が前記展開位置にある時、前記少なくとも１つの多回投与流体容器を支持することができる、
請求項２２に記載の注入器アセンブリ。
【請求項２４】
回転トレイ部材をさらに備え、前記回転トレイ部材は、前記格納式ポールの第１の支持部材の縦軸の周りを、前記回転トレイ部材の少なくとも一部が前記第１の支持部材と第２の支持部材との間に実質的に格納される格納位置から、前記回転トレイ部材の少なくとも一部が前記第１の支持部材から離れるように伸びる展開位置まで回転可能である、
請求項２２または２３に記載の注入器アセンブリ。
【発明の詳細な説明】
【技術分野】
【０００１】
関連出願の相互参照
本願は、参照によってその全体が本明細書に援用される、２０１５年５月２７日に出願された米国仮出願第６２／１６７、００３号に基づくものであり、その優先権を主張する。
【０００２】
本開示は、概して、１つ以上の医療用流体を患者に送達するための医療用流体送達システムおよび装置に関する。
【背景技術】
【０００３】
医療診断および治療処置の多くでは、医師などの医療従事者が患者に１つ以上の医療用流体を注入する。近年では、血管造影法、コンピュータ断層撮影法（ＣＴ）、超音波、磁気共鳴映像法（ＭＲＩ）、陽電子放射断層撮影法（ＰＥＴ）、および他の撮像法などの手法で使用するために、対照液（単に「コントラスト」と呼ばれることが多い）などの医療用流体、生理食塩水などのフラッシング剤、および他の医療用流体を加圧注入するための注入器作動注射器や流体注入器が多数開発されている。一般に、これらの流体注入器は、予め設定された量の１つ以上の流体を、予め設定された圧力および／または流量で送達するように設計される。
【０００４】
いくつかの注入手法では、医療従事者は、カテーテルやチューブに接続された注射針、または他の流体送達接続部を患者の静脈または動脈に配置する。カテーテルまたはチューブは、手動の自動流体注入機構または動力による自動流体注入機構のいずれかに接続される。自動流体注入機構は、一般に、例えば、少なくとも１つの動力線形ピストンを有する流体注入器に接続される注射器を含む。注射器は、コントラスト供給源および／またはフラッシング流体供給源を含むことができる。医療従事者は、コントラストおよび／または生理食塩水の固定量、それぞれの固定注入速度、および１つ以上の流体のそれぞれを注入する特定の時間について、流体注入器の電子制御システムに設定を入力する。
【０００５】
注入されるコントラストおよび／または生理食塩水は、患者の腕や鼠径部など、患者の体に挿入されたカテーテルや針を介して患者の血管系に送達される。コントラストの１回の投与量はボーラスと呼ばれる。コントラストのボーラスが所望の部位に送達されると、その領域は、血管造影法またはスキャニング、ＣＴ、超音波、ＭＲＩ、ＰＥＴ、および／または他の撮像法などの従来の撮像法を用いて画像化される。コントラストの存在は、周囲組織の背景に対してはっきりと見えるようになる。
【０００６】
注射器の流体注入器への装着および流体注入器からの取り外しを容易にするために、様々なフロントローディング接続インターフェースが開発されている。いくつかの実施形態では、保持機能を有する注射器は、注射器を流体注入器に設けられた対応するロック機能に位置合わせすることによって、流体注入器の注射器ポートに挿入される。医療従事者は、注射器を注入器に装着可能にするには、注射器の保持機能を流体注入器の対応するロック機能に手で位置合わせする必要があることが多い。場合によっては、米国特許第６、３３６、９１３号明細書に示されるように、装着のための可能なアラインメントが１つか２つしか存在しない。これらの注射器では、操作者は注射器を回転させて、注射器を流体注入器に係合することができるアラインメントを見つけなければならない。したがって、操作者は、手で注射器をロック機能に対して回転することで十分強く係合させて、注入器を動作させる必要がある。米国特許第６、６５２、４８９号明細書に開示された別の実施形態では、注射器を回転により位置合わせしなくてもよく、また、注射器を回転させて設置または係合しなくてもよい。米国特許第９、１７３、９９５、９、１９９、０３３号明細書に開示された他の実施形態では、ユーザが注射器を挿入すると、注射器は注入器のインターフェースのロック機能に対して回転により自動的に位置合わせすることができる。フロントローディング注射器インターフェースに関連するこれらの特許の各々の開示は、この参照により本明細書に援用される。
【０００７】
従来の注入器の設計には、注入器アセンブリの面に配置された、ソフトボタンおよび表示器を含むコントローラが含まれ、ユーザまたは技能者は注入器アセンブリから腕を伸ばした距離内にとどまりながら注入を入力し監視する必要がある。さらに、流体注入システムに連結された１つ以上の注射器に充填する時、流体容器は一般に逆さまにされ、隣接するＩＶスタンドに吊るされる。しかしながら、ユーザまたは技能者が治療室中を自由に移動し、１つ以上の注射器にすぐに充填することを可能にする利点や使い易い機能をもたらす、改良された注入器の設計が必要とされている。様々な流体注入システムおよび方法が医療分野で知られているが、ユーザ体験を改善する、流体注入器を使用するための改良された設計および方法は依然として要求されている。特に、ユーザの簡便性および体験を制限する既存の流体注入システムの欠点を考慮すると、より良好なユーザ体験および改善されたワークフローを提供する改良された流体注入システムが本分野において必要である。
【発明の概要】
【課題を解決するための手段】
【０００８】
したがって、本開示の目的は、従来技術の欠点の一部または全部を克服する、患者に流体を送達するシステムを提供することである。本開示の非限定的な例において、患者に流体を送達するシステムは、少なくとも１つの注射器に解除可能に係合するように構成された少なくとも１つの注射器ポートを備える注入器ハウジングと、注入器と接続して、少なくとも１つの注射器ポートに係合した少なくとも１つの注射器を作動させるように構成された流体制御装置とを含むことができ、流体制御装置は、流体送達を制御し、ラップトップコンピュータ、タブレットコンピュータ、スマートフォン、パーソナル・データ・アシスタント装置、または他のハンドヘルド・コンピュータ・プロセッサなどの、少なくとも１つのポータブルコンピュータと無線通信するようにプログラムまたは構成される少なくとも１つのプロセッサを備える。少なくとも１つのポータブルコンピュータは、少なくとも１つのプロセッサまたは注入システムと無線通信および任意で有線通信し、流体制御装置、ユーザインターフェース、撮像装置、患者記録データベース、第２のコンピュータ、サーバ、病院ネットワーク、無線ネットワーク、またはそれらの任意の組み合わせのうちの少なくとも１つから、少なくとも１つの流体送達パラメータを受信および／または送信し、受信および／または送信されたデータに少なくとも部分的に基づいて、少なくとも１つの流体送達パラメータに関する情報を含むディスプレイを生成するようにプログラムまたは構成することができる。流体制御装置は、少なくとも１つのポータブルコンピュータから受信および／または送信された指示に少なくとも部分的に基づいて、少なくとも１つの制御オプションを実行するように構成またはプログラムすることができる。
【０００９】
別の非限定的な例において、ハウジングは支持部に回転可能に結合することができ、ハウジングと支持部の少なくとも１つは、少なくとも１つのポータブルコンピュータに解除可能に係合するように構成されたドッキングステーションをさらに含むことができる。いくつかの非限定的な例において、ドッキングステーションは、少なくとも１つのポータブルコンピュータがドッキングステーションに係合している時に、少なくとも１つのポータブルコンピュータと接続するように構成されたポートをさらに備えることができる。ポートは、流体制御装置、ユーザインターフェース、撮像装置、患者記録データベース、第２のコンピュータ、サーバ、電源、またはそれらの任意の組み合わせのうちの少なくとも１つとの少なくとも１つの有線接続を、少なくとも１つのポータブルコンピュータに提供するようにさらに構成することができる。
【００１０】
さらなる非限定的な例において、ドッキングステーションは、支持部に対してハウジングと共に回転可能なようにハウジングに結合することができ、ディスプレイは、ポータブルコンピュータとハウジングのうちの少なくとも１つで生成することができる。ハウジング、支持部、および少なくとも１つのポータブルコンピュータのうちの少なくとも１つは、ドッキングステーションに係合している時に、または、取り外されて手で持てる状態にある間、少なくとも１つのポータブルコンピュータの向きを検出し、向きを少なくとも１つのポータブルコンピュータに通知するように構成またはプログラムされた方位センサをさらに備えてもよく、少なくとも１つのポータブルコンピュータは、方位センサから受信したデータに少なくとも部分的に基づいて、生成されたディスプレイの向きを調整するようにプログラムまたは構成することができる。方位センサは、ジャイロセンサ、機械センサ、磁気センサ、光学センサ、またはそれらの任意の組み合わせのうちの少なくとも１つからなることができるが、それらに限定されず、少なくとも１つのポータブルコンピュータは、ハウジングの回転中に、生成されたディスプレイの向きを垂直な向きに連続的または不連続的に調整するようにプログラムまたは構成することができる。
【００１１】
さらなる非限定的な例では、少なくとも１つのポータブルコンピュータは、円形、楕円形、または長円形タッチスクリーン、および／または四辺形タッチスクリーンを備えることができる。少なくとも１つのポータブルコンピュータは、例えば、磁気的結合または機械的結合によって、ハウジングに取り付けられたドッキングステーションと解除可能に係合するように構成することができる。特定の実施形態では、少なくとも１つのポータブルコンピュータは、ドッキングステーションにドッキングされた時や、分かれて電源に接続された時に充電するように構成された充電式バッテリを含むことができる。
【００１２】
少なくとも１つの制御オプションは、１つ以上の流体の流体送達を開始すること、１つ以上の流体の流体送達を停止すること、１つ以上の流体の流体送達速度を変更すること、１つ以上の流体の予めプログラムされた流体送達プロトコルを呼び出すことおよび／または実行すること、特定量の１つ以上の流体を送達すること、１つ以上の流体を特定の順序および／または比率で送達すること、またはそれらの任意の組み合わせのうちの１つ以上を含むことができるが、それらに限定されない。
【００１３】
さらなる非限定的な例では、流体制御装置と通信する二次コントローラを設けることができ、二次コントローラは、ハウジングの一部に結合されるか、ハウジングの一部を形成し、１つ以上の流体の流体送達を開始することおよび１つ以上の流体の流体送達を停止することのうちの１つ以上を含む、少なくとも１つの制御オプションの全部またはサブセットを実行するように構成またはプログラムすることができる。少なくとも１つのポータブルコンピュータがドッキングステーション内に係合している時に、二次コントローラが少なくとも部分的に物理的に覆い隠され、かつ／または動作不能にされるように、二次コントローラを配置してもよい。
【００１４】
さらなる非限定的な例では、システムは、流体制御装置および少なくとも１つのポータブルコンピュータのうちの１つ以上と通信する少なくとも１つの注射器検出部をさらに備えることができる。注射器検出部は、少なくとも１つの注射器の少なくとも１つの識別特性を検出し、流体制御装置および少なくとも１つのポータブルコンピュータのうちの１つ以上に、識別特性を通知するように構成またはプログラムすることができる。
【００１５】
さらなる非限定的な例において、流体制御装置および少なくとも１つのポータブルコンピュータのうちの少なくとも１つは、注射器検出部から受信したデータに少なくとも部分的に基づいて、流体送達が行われるのを防ぐこと、不適合であるか、以前に使用されているか、未承認の注射器が少なくとも１つの注射器ポートに取り付けられた場合に警告を与えること、不適合であるか、以前に使用されているか、未承認の注射器が少なくとも１つの注射器ポートに取り付けられた場合にユーザにオーバーライドを要求すること、および予めプログラムされた流体送達プロトコルの少なくとも一部を呼び出すこと、のうちの少なくとも１つを行うようにさらに構成またはプログラムすることができる。
【００１６】
注射器検出部は、カメラ、無線周波数受信機、光学ラベル読取機、磁気センサ、光学センサ、機械センサ、またはそれらの任意の組み合わせのうちの少なくとも１つを備えることができるが、それらに限定されず、流体制御装置および少なくとも１つのポータブルコンピュータのうちの少なくとも１つは、少なくとも１つの識別特性が少なくとも１つの所定の認可特性を含むか、不適合であるか、以前に使用されているか、未承認の注射器を使用するためのオーバーライドをユーザが許可した場合を除いて、流体送達が行われるのを防ぐようにさらに構成またはプログラムされる。
【００１７】
少なくとも１つの識別特性は、注射器の種類の表示、注射器のブランドの表示、注射器に適量の流体が充填されていることの表示、注射器が以前に使用されていることを示す表示、注射器がその保存期間または有効期限を過ぎているかどうかの表示、ロット番号または製造日または製造設備、またはそれらの任意の組み合わせのうちの少なくとも１つを含むことができるが、それらに限定されない。
【００１８】
さらなる非限定的な例では、システムは、流体制御装置および少なくとも１つのポータブルコンピュータのうちの少なくとも１つと通信し、かつ／または一体化した少なくとも１つのユーザ識別情報検出器をさらに含むことができる。流体制御装置および少なくとも１つのポータブルコンピュータのうちの少なくとも１つは、少なくとも１つのユーザ識別情報検出器から受信したデータに少なくとも部分的に基づいて、認定され、確認されたユーザが流体送達を行うことを選択的に可能にするようにさらに構成またはプログラムすることができる。ユーザ識別情報検出器は、バイオメトリックスキャナ、ＩＤカードリーダ、マイクロフォン、パスワード保護された機械可読媒体、複数のポータブルコンピュータのうちのどれが流体制御装置に指示を与えているかを特定するように構成またはプログラムされるポータブルコンピュータ識別センサ、またはそれらの任意の組み合わせのうちの少なくとも１つを備えることができるが、それらに限定されない。
【００１９】
非限定的な実施形態では、システムは、流体制御装置および少なくとも１つのポータブルコンピュータのうちの少なくとも１つと通信する少なくとも１つの近接センサをさらに備えることができ、流体制御装置および少なくとも１つのポータブルコンピュータのうちの少なくとも１つは、近接センサから受信した情報に少なくとも部分的に基づいて、少なくとも１つのポータブルコンピュータが流体制御装置から安全制御距離よりも離れたところに位置する場合、ユーザが流体送達を開始するのを防ぐようにさらに構成またはプログラムすることができる。
【００２０】
さらなる非限定的な例において、少なくとも１つの流体の少なくとも１つの流体送達パラメータは、流体送達指示、流体送達流量、流体送達継続時間、全流体送達量、残量、第１の注入流体の第２の注入流体に対する比率、流体送達流体濃度、流体送達流体識別情報、少なくとも２つの流体を送達するための順序および／または比率、予めプログラムされた流体送達プロトコル、またはそれらの任意の組み合わせのうちの１つ以上を含むことができる。
【００２１】
さらに、本開示の目的は、従来技術の欠点の一部または全部を克服する、患者に流体を送達する装置を提供することである。別の非限定的な例によれば、少なくとも１つの注射器に解除可能に係合するように構成された少なくとも１つの注射器ポートを備えるハウジングと、少なくとも１つの注射器ポートに係合された少なくとも１つの注射器と接続して１つの注射器を作動させるように構成された流体制御装置であって、流体送達を制御し、少なくとも１つのポータブルコンピュータと通信するようにプログラムまたは構成された少なくとも１つのプロセッサを備えた流体制御装置と、格納位置から展開位置まで可逆的に動いて、注入器アセンブリの上方に伸びるように構成された格納式ポールであって、少なくとも１つの多回投与流体容器を吊るすための少なくとも１つの吊り下げ機能を備える格納式ポールを備える支持部とを備える注入器アセンブリが提供される。他の非限定的な例では、支持部は、格納式ポールに可逆的に係合し、格納式ポールを少なくとも１つのロック位置に解除可能にロックするように構成されたキャッチをさらに備えることができる。
【００２２】
少なくとも１つの吊り下げ機能は、回動フックであって、回動フックの少なくとも一部が格納式ポールの支持部材内に実質的に収容される格納位置から、回動フックの少なくとも一部が支持部材から離れるように伸びる展開位置まで回動できる回動フックと、格納式ポールの支持部材の縦軸を中心に回転できる回転フックと、それらの任意の組み合わせのうちの少なくとも１つを備えることができるが、それらに限定されない。展開位置では、回動フックおよび／または回転フックは、注入器アセンブリの注射器ポートの少なくとも１つの注射器の上に吊るされる少なくとも１つの多回投与流体容器を保持することができる。
【００２３】
非限定的な例では、格納式ポールは、格納式ポールが格納位置にある時に、ハウジングおよび支持部のうちの少なくとも１つの上方に伸びるハンドル部をさらに備えることができる。または、ハンドル部は、格納位置にある時にハウジングまたは支持部の表面と同一平面にあってもよいが、格納式ポールを展開位置に動かすためにポールを把持するための把持面をさらに含むことができる。格納位置では、格納式ポールにより、注入器システムのスペース要件が低減し、別個の吊り下げ装置、例えばＩＶポールが不要になる。
【００２４】
少なくとも１つの多回投与流体容器は、生理食塩水バッグ、多回投与薬液容器、多回投与量のコントラストまたは造影剤を含む容器、またはそれらの任意の組み合わせから選択することができるが、これらに限定されない。
【００２５】
様々な例において、本開示は以下の項の１つ以上を特徴とすることができる。
【００２６】
項１．患者に流体を送達するシステムであって、少なくとも１つの注射器に解除可能に係合するように構成された少なくとも１つの注射器ポートを備える注入器ハウジングと、少なくとも１つの注射器ポートに係合された少なくとも１つの注射器と接続して少なくとも１つの注射器を作動させるように構成された流体制御装置であって、少なくとも１人の患者への少なくとも１つの流体の流体送達を制御し、少なくとも１つのポータブルコンピュータと通信するようにプログラムまたは構成された少なくとも１つのプロセッサを備える流体制御装置とを備え、少なくとも１つのポータブルコンピュータは、流体制御装置、ユーザインターフェース、撮像装置、患者記録データベース、第２のコンピュータ、サーバ、病院ネットワーク、無線ネットワーク、またはそれらの任意の組み合わせのうちの少なくとも１つとの間で、少なくとも１つの流体送達パラメータを受信または送信し、受信および／または送信されたデータに少なくとも部分的に基づいて、少なくとも１つの流体送達パラメータに関する情報を含むディスプレイを生成するようにプログラムまたは構成され、流体制御装置は、少なくとも１つのポータブルコンピュータから受信および／または送信された指示に少なくとも部分的に基づいて、少なくとも１つの制御オプションを実行するように構成またはプログラムされる、システム。
【００２７】
項２．少なくとも１つのポータブルコンピュータは、ラップトップコンピュータ、タブレットコンピュータ、スマートフォン、パーソナル・データ・アシスタント装置、ハンドヘルドコンピュータ、またはそれらの任意の組み合わせのうちの少なくとも１つからなる、第１項に記載のシステム。
【００２８】
項３．少なくとも１つのポータブルコンピュータは、流体制御装置と無線通信および任意で有線通信するようにさらに構成される、第１項または第２項に記載のシステム。
【００２９】
項４．ハウジングは支持部に回転可能に結合され、ハウジングと支持部のうちの少なくとも１つは、少なくとも１つのポータブルコンピュータに解除可能に係合するように構成されたドッキングステーションをさらに備える、第１項から第３項のいずれか一項に記載のシステム。
【００３０】
項５．ドッキングステーションは、少なくとも１つのポータブルコンピュータがドッキングステーションに係合している時、少なくとも１つのポータブルコンピュータと接続し、流体制御装置、ユーザインターフェース、撮像装置、患者記録データベース、第２のコンピュータ、サーバ、電源、またはそれらの任意の組み合わせのうちの少なくとも１つへの少なくとも１つの有線接続を、少なくとも１つのポータブルコンピュータに提供するように構成されたポートをさらに備える、第４項に記載のシステム。
【００３１】
項６．ドッキングステーションは、支持部に対してハウジングと共に回転可能なようにハウジングに結合され、ディスプレイは、ポータブルコンピュータおよびハウジングのうちの少なくとも１つに生成され、ハウジング、支持部、および少なくとも１つのポータブルコンピュータのうちの少なくとも１つは、少なくとも、少なくとも１つのポータブルコンピュータがドッキングステーションに係合している間、または、少なくとも１つのポータブルコンピュータが係合解除され、手で持てる状態にある間、少なくとも１つのポータブルコンピュータの向きを検出し、向きを少なくとも１つのポータブルコンピュータに通知するように構成またはプログラムされた方位センサをさらに備え、少なくとも１つのポータブルコンピュータは、方位センサから受信したデータに少なくとも部分的に基づいて、生成されたディスプレイの向きを調整するようにプログラムまたは構成される、第４項または第５項に記載のシステム。
【００３２】
項７．方位センサは、ジャイロセンサ、機械センサ、磁気センサ、光学センサ、またはそれらの任意の組み合わせのうちの少なくとも１つからなり、少なくとも１つのポータブルコンピュータは、ハウジングの回転中に、生成されたディスプレイの向きを垂直な向きに連続的または不連続的に調整するようにプログラムまたは構成される、第６項に記載のシステム。
【００３３】
項８．少なくとも１つのポータブルコンピュータは、円形タッチスクリーン、楕円形タッチスクリーン、長円形タッチスクリーン、および四辺形タッチスクリーンのうちの少なくとも１つを備える、第１項から第７項のいずれか一項に記載のシステム。
【００３４】
項９．少なくとも１つのポータブルコンピュータは、機械的結合および磁気的結合のうちの少なくとも１つによってハウジングに取り付けられたドッキングステーションと解除可能に係合するように構成される、第１項から第８項のいずれかに一項に記載のシステム。
【００３５】
項１０．少なくとも１つのポータブルコンピュータは、少なくとも１つのポータブルコンピュータがドッキングステーションに係合している時に充電するように構成された充電式バッテリをさらに備える、第１項から第９項のいずれか一項に記載のシステム。
【００３６】
項１１．少なくとも１つの制御オプションは、少なくとも１つの流体の送達を開始すること、少なくとも１つの流体の送達を停止すること、少なくとも１つの流体の送達速度を変更すること、少なくとも１つの流体の予めプログラムされた流体送達プロトコルを呼び出すことおよび／または実行すること、特定量の少なくとも１つの流体を送達すること、少なくとも１つの流体を特定の順序および／または比率で送達すること、またはそれらの任意の組み合わせのうちの少なくとも１つを含む、第１項から第１０項のいずれか一項に記載のシステム。
【００３７】
項１２．流体制御装置と通信する二次コントローラをさらに備え、二次コントローラは、ハウジングの一部に結合されるか、ハウジングの一部を形成し、二次コントローラは、少なくとも１つの流体の送達を開始することおよび少なくとも１つの流体の送達を停止することのうちの少なくとも１つを含む、少なくとも１つの制御オプションの少なくとも１つのサブセットを実行するように構成またはプログラムされる、第１項から第１１項のいずれか一項に記載のシステム。
【００３８】
項１３．少なくとも１つのポータブルコンピュータがドッキングステーション内に係合している時に、二次コントローラが少なくとも部分的に物理的に覆い隠され、かつ／または動作不能にされるように、二次コントローラは配置される、第１２項に記載のシステム。
【００３９】
項１４．流体制御装置および少なくとも１つのポータブルコンピュータのうちの少なくとも１つと通信する少なくとも１つの注射器検出部をさらに備え、注射器検出部は、少なくとも１つの注射器の少なくとも１つの識別特性を検出し、流体制御装置および少なくとも１つのポータブルコンピュータのうちの少なくとも１つに、少なくとも１つの識別特性を通知するように構成またはプログラムされる、第１項から第１３項のいずれか一項に記載のシステム。
【００４０】
項１５．流体制御装置および少なくとも１つのポータブルコンピュータのうちの少なくとも１つは、注射器検出部から受信したデータに少なくとも部分的に基づいて、流体送達が行われるのを防ぐこと、不適合であるか、以前に使用されているか、未承認の注射器が少なくとも１つの注射器ポートに取り付けられた場合に警告を与えること、不適合であるか、以前に使用されているか、未承認の注射器が少なくとも１つの注射器ポートに取り付けられた場合にユーザにオーバーライドを要求すること、予めプログラムされた流体送達プロトコルの少なくとも一部を呼び出すこと、またはそれらの任意の組み合わせのうちの少なくとも１つを行うようにさらに構成またはプログラムされる、第１４項に記載のシステム。
【００４１】
項１６．注射器検出部は、カメラ、無線周波数受信機、光学ラベル読取機、磁気センサ、光学センサ、機械センサ、またはそれらの任意の組み合わせのうちの少なくとも１つを備え、流体制御装置および少なくとも１つのポータブルコンピュータのうちの少なくとも１つは、少なくとも１つの識別特性が少なくとも１つの所定の認可特性を含むか、認定ユーザからオーバーライドコマンドを受信した場合を除いて、流体送達が行われるのを防ぐようにさらに構成またはプログラムされる、第１４項から第１５項のいずれか一項に記載のシステム。
【００４２】
項１７．少なくとも１つの識別特性は、注射器の種類の表示、注射器のブランドの表示、注射器に適量の流体が充填されていることの表示、注射器が以前に使用されていることを示す表示、注射器がその保存期間を過ぎているかどうかの表示、有効期限、ロット番号、製造日、製造設備、またはそれらの任意の組み合わせのうちの少なくとも１つを含む、第１４項から第１６項のいずれか一項に記載のシステム。
【００４３】
項１８．流体制御装置および少なくとも１つのポータブルコンピュータのうちの少なくとも１つと通信し、かつ／または一体化した少なくとも１つのユーザ識別情報検出器をさらに備え、流体制御装置および少なくとも１つのポータブルコンピュータのうちの少なくとも１つは、少なくとも１つのユーザ識別情報検出器から受信したデータに少なくとも部分的に基づいて、認定され、確認されたユーザが流体送達を行うことを選択的に可能にするようにさらに構成またはプログラムされる、第１項から第１７項のいずれか一項に記載のシステム。
【００４４】
項１９．ユーザ識別情報検出器は、バイオメトリックスキャナ、ＩＤカードリーダ、マイクロフォン、パスワード保護された機械可読媒体、複数のポータブルコンピュータのうちのどれが流体制御装置に指示を与えているかを特定するように構成またはプログラムされたポータブルコンピュータ識別センサ、またはそれらの任意の組み合わせのうちの少なくとも１つを備える、第１８項に記載のシステム。
【００４５】
項２０．流体制御装置および少なくとも１つのポータブルコンピュータのうちの少なくとも１つと通信する近接センサをさらに備え、流体制御装置および少なくとも１つのポータブルコンピュータのうちの少なくとも１つは、近接センサから受信した情報に少なくとも部分的に基づいて、少なくとも１つのポータブルコンピュータが流体制御装置から安全制御距離よりも離れたところに位置する場合に、少なくとも１つの警告を生成し、かつ／またはユーザが流体送達を開始するのを防ぐようにさらに構成またはプログラムされる、第１項から第１９項のいずれか一項に記載のシステム。
【００４６】
項２１．少なくとも１つの流体送達パラメータは、流体送達指示、流体送達流量、流体送達継続時間、全流体送達量、残量、第１の注入流体の第２の注入流体に対する比率、流体送達流体濃度、流体送達流体識別情報、少なくとも２つの流体を送達するための順序および／または比率、予めプログラムされた流体送達プロトコル、またはそれらの任意の組み合わせのうちの１つ以上を含む、第１項から第２０項のいずれか一項に記載のシステム。
【００４７】
項２２．少なくとも１つの注射器に解除可能に係合するように構成された少なくとも１つの注射器ポートを備えるハウジングと、少なくとも１つの注射器ポートに係合された少なくとも１つの注射器と接続して少なくとも１つの注射器を作動させるように構成された流体制御装置であって、流体送達を制御し、少なくとも１つのポータブルコンピュータと通信するようにプログラムまたは構成された少なくとも１つのプロセッサを備える流体制御装置と、格納位置から展開位置まで可逆的に動いて、注入器アセンブリの上方に伸びるように構成された格納式ポールであって、少なくとも１つの多回投与流体容器を吊るすための少なくとも１つの吊り下げ機能を備える格納式ポールを備える支持部と、を備える注入器アセンブリ。
【００４８】
項２３．支持部は、格納式ポールと可逆的に係合し、格納式ポールを少なくとも１つのロック位置に解除可能にロックするように構成されたキャッチをさらに備え、少なくとも１つの吊り下げ機能は少なくとも１つの回動フックを含み、少なくとも１つの回動フックは、回動フックの少なくとも一部が格納式ポールの支持部材内に実質的に収容される格納位置から、回動フックの少なくとも一部が支持部材から離れるように伸びる展開位置まで回動可能であり、少なくとも１つの多回投与流体容器は、生理食塩水バッグ、多回投与薬液容器、多回投与量のコントラストまたは造影剤を含む容器、またはそれらの任意の組み合わせから選択され、少なくとも１つの吊り下げ機能は、少なくとも１つの吊り下げ機能が展開位置にある時、少なくとも１つの多回投与流体容器を支持することができる、第２２項に記載の注入器アセンブリ。
【００４９】
項２４．回転トレイ部材をさらに備え、回転トレイ部材は、格納式ポールの第１の支持部材の縦軸の周りを、回転トレイ部材の少なくとも一部が第１の支持部材と第２の支持部材との間に実質的に格納される格納位置から、回転トレイ部材の少なくとも一部が第１の支持部材から離れるように伸びる展開位置まで回転可能である、第２２項または第２３項に記載の注入器アセンブリ。
【００５０】
流体注入および送達システムのいくつかの例が、添付図面に示され、本明細書に詳細に記載されているが、本開示の範囲および精神から逸脱することなく、他の例が当業者にとって明らかであり、当業者によって容易になされる。例えば、本開示は、可能な限り、任意の例の１つ以上の特徴を任意の他の例の１つ以上の特徴と組み合わせることができることを意図していると理解すべきである。したがって、上記の説明は、限定的ではなく例示的なものであることが意図されている。
【図面の簡単な説明】
【００５１】
【図１】本開示の非限定的な例による着脱可能なポータブルコンピュータを含む流体注入システムを示す。
【図２】本開示の１つの非限定的な例による着脱可能なポータブルコンピュータを含む移動ワークステーションとしての流体注入システムを示す。
【図３】本開示の１つの非限定的な例による、取り外された形の着脱可能なポータブルコンピュータを含む流体注入システムを示す。
【図４】本開示の１つの非限定的な例による流体注入システムの着脱可能なタッチスクリーンを示す。
【図５Ａ】本開示の非限定的な例による、格納された位置にある流体注入システムの格納式ポールを示す。
【図５Ｂ】本開示の非限定的な例による、部分的に伸ばされた位置にある流体注入システムの格納式ポールを示す。
【図５Ｃ】本開示の非限定的な例による、完全に伸ばされた位置にある流体注入システムの格納式ポールを示す。
【図５Ｄ】本開示の非限定的な例による、完全に伸ばされた位置にある流体注入システムの格納式ポールを示す。
【図６】本開示の様々な非限定的な例による、完全に伸ばされた使用可能な位置にある流体注入システムの格納式ポールを示す。
【図７】本開示の非限定的な例による流体送達システム図を示す。
【発明を実施するための形態】
【００５２】
以下説明のために、「上」、「下」、「右」、「左」、「垂直」、「水平」、「上」、「下」、「横」、「縦」という用語とその派生語は、図面における方向に置かれた本開示に関連するものとする。注入器に関して使用される場合、「基端」という用語は、注入器の注射器ポートから最も遠い注入器の部分を指す。「末端」という用語は、注入器の注射器ポートに最も近い注入器の部分を指す。しかしながら、本開示は、特に反対のことが明記されていない限り、他の変形例やステップシーケンスを取ることができることを理解されたい。また、添付の図面に示され、以下の明細書に記載される特定の装置およびプロセスは、本開示の単なる例示的な例であることを理解されたい。したがって、本明細書に開示される例（すなわち、態様、変形例、変更）に関連する特定の寸法および他の物理的特性は、限定的であるとみなすべきではない。
【００５３】
本明細書で使用する「通信」および「通信する」という用語は、１つ以上の信号、メッセージ、コマンド、または他の種類のデータの受信または転送を指す。１つのユニットまたは装置が１つ以上の他のユニットまたは装置と通信するとは、１つのユニットまたは装置が１つ以上の他のユニットまたは装置からデータを受信し、かつ／または１つ以上の他のユニットまたは装置にデータを送信できることを意味する。通信には、直接的または間接的な接続を使用することができ、本質的に有線および／または無線にすることができる。さらに、送信データが、第１のユニットまたは装置と第２のユニットまたは装置との間で変更、処理、ルーティングなどされたとしても、２つ以上のユニットまたは装置は互いに通信することができる。例えば、第１のユニットが受動的にデータを受信し、第２のユニットに能動的にデータを送信しないとしても、第１のユニットは第２のユニットと通信することができる。別の例として、中間ユニットが１つのユニットからのデータを処理し、処理したデータを第２のユニットに送信する場合、第１のユニットは第２のユニットと通信することができる。非限定的な例において、通信は、１つ以上の電線を介して、ブルートゥース（登録商標）、近距離通信（ＮＦＣ）、または他の無線周波数プロトコルなどの直接的な無線プロトコルを介して、および／またはローカルＷｉ−Ｆｉネットワークや安全なインターネット接続などの間接的な無線通信を介してなど、１つ以上の有線または無線接続を介して行うことができる。無線通信には、Ｗｉ−Ｆｉネットワークを介した通信、ブルートゥース（登録商標）、ＮＦＣ、または他の従来の無線システムを介した通信、または他の無線電磁通信システムを介した通信など、２つの通信ユニットまたは装置間で直接的な有線接続を必要としない通信であればいかなるものも含むことができる。多数の他の構成が可能であることが理解されよう。
【００５４】
別の非限定的な例では、少なくとも１つの注射器ポートと、コントローラと、可逆的に着脱可能なポータブルコンピュータなどの有線または無線接続されたポータブルコンピュータとを備えた注入器アセンブリを有する流体注入システムが提供され、ポータブルコンピュータはタッチスクリーンや他のユーザ入力装置、および／または１つ以上の注入パラメータを入力し、１つ以上の注入特徴を表示するように構成されたディスプレイを有することができる。好適な着脱可能なポータブルコンピュータには、ラップトップコンピュータ、タブレットコンピュータ、スマートフォンまたはパーソナル・データ・アシスタント装置、または他のハンドヘルド・コンピュータ・プロセッサなどがあるが、これらに限定されない。ポータブルコンピュータは、有線または無線通信機構によってコントローラと通信することができる。
【００５５】
さらなる例では、流体注入システムは、少なくとも１つの注射器ポートと、任意で、着脱可能なポータブルコンピュータとを備えた注入器アセンブリを有することができ、注入器アセンブリは、注入器アセンブリの上方に伸びるように構成され、少なくとも１つの多回投与流体容器を吊るすための少なくとも１つの吊り下げ機能を有する格納式ポールをさらに含む。多回投与流体容器は、生理食塩水バッグまたは容器、多回投与薬液容器、多回投与量のコントラストまたは造影剤を含む容器、およびそれらの様々な組み合わせでもよい。
【００５６】
本開示の様々な例は、注入処置中に患者に１つ以上の流体を注入するための流体注入システムに向けられている。この流体注入システムの設計および機能により、使い易さとユーザ体験の向上がもたらされ、それにより、注入処置をより厳密に監視することができ、進行中の注入処置の１つ以上のパラメータまたは機能を制御できる一方で、注入処置中に注入室中を移動することができる。さらなる機能により、流体注入システムに連結された１つ以上の注射器に充填および／または再充填する際にすぐに手が届くように、流体注入システムに１つ以上の多回投与流体容器を吊り下げることができる。具体的な例では、本開示の流体注入システムは、例えば、ＣＴスキャン、ＭＲＩ、および他の放射線撮像法などの撮像法において１つ以上の造影剤の注入に使用することができる。流体注入システムの様々な例は、注射器と接続するための少なくとも１つの注射器ポートを備える注入器アセンブリを備え、撮像処置中に１つ以上の医療用流体を注入するように構成することができる。
【００５７】
具体的な例では、流体注入器システムは、米国特許第５、３８３、８５８、７、５５３、２９４、７、６６６、１６９、９、１７３、９９５、９、１９９、０３３号明細書および国際特許出願第ＰＣＴ／ＵＳ２０１２／０３７４８９１号明細書、ならびに米国特許出願公開第２０１４／００２７００９号明細書に記載される注入器の様々な例に類似したフロントローディング流体注入システムであってもよく、これらの開示は参照によりその全体が援用される。他の例には、本明細書に記載のインターフェースの様々な例を含むように設計された新しい流体注入システムがある。
【００５８】
図１は、本開示の非限定的な例による、タッチスクリーンを備えた着脱可能なポータブルコンピュータ１５０を含む流体注入システムを示す。図１を参照すると、自動流体注入器または動力流体注入器などの流体送達装置または注入器１００（以下、「注入器１００」と呼ぶ）は、少なくとも１つの注射器１２０と接続して少なくとも１つの注射器１２０を作動させるように構成されており、少なくとも１つの注射器１２０には、所望の濃度またはアイデンティティーを有する造影剤、生理食塩水、または他の所望の医療用液体などの医療用液体を個別に充填することができる。注入器１００を撮像処置などの医療処置中に使用して、少なくとも部分的に注入器１００の内部にあり得る流体制御装置（図示せず、図７の１３６）によって操作される少なくとも１つのピストン（図示せず）により、少なくとも１つの注射器１２０のプランジャ（図示せず）を駆動することによって、医療用流体を患者の体内に注入することができる。非限定的な例において、注入器１００は、複数注射器の注入器であってもよく、複数の注射器１２０は、並列に配置してもよいし、別の配置であってもよく、注入器１００に連結したそれぞれのピストンによって個別に作動され、流体制御装置によって制御されるプランジャを含むことができる。１つの非限定的な例では、２つの注射器を並列に配置し、対照剤と生理食塩水などの２つの異なる医療用流体を充填することができ、注入器１００は、注射器１２０の一方または両方から患者に流体を順次または同時に送達するように構成することができる。様々な他の構成が可能であることが理解されよう。
【００５９】
注入器１００は、プラスチック、複合材料、および／または金属などの適切な構造材料から形成されたハウジング１２５を有することができる。ハウジング１２５は、所望の用途に応じて様々な形状や大きさにすることができる。例えば、注入器１００は、注入器１００が床の上を移動できるように、１つ以上のローラまたは車輪を備えたベース２４４に結合された支持部１１８を有する自立構造であってもよい（図２参照）。他の例では、注入器１００は、適切なテーブルまたは支持フレーム上に配置するためにより小さいデザインを有することができる（図３参照）。注入器１００は、少なくとも１つの注射器１２０をそれぞれのピストン部品に取り外し可能に連結するための少なくとも１つの注射器ポート１２６を含むことができる。様々な例において、少なくとも１つの注射器１２０は、注入器１００の注射器ポート１２６内に注射器１２０を保持するように構成された少なくとも１つの注射器保持部材（図示せず）を含む。非限定的な例では、少なくとも１つの注射器保持部材を、注入器１００の注射器ポート１２６上にまたは注射器ポート１２６内に設けられたロック機構に動作可能に係合するように構成することで、注入器１００に対する注射器１２０の自己指向的な取り付けおよび／または取り外しが容易になる。注射器保持部材とロック機構は共に、注射器１２０を注入器１００に接続するための接続インターフェースを画成する。
【００６０】
非限定的な例では、少なくとも１つの流体経路セット（図示せず）を少なくとも１つの注射器１２０の末端部に流体接続して、少なくとも１つの注射器１２０から、血管アクセス部位において患者に挿入されたカテーテル、注射針、または他の流体送達接続部（図示せず）に医療用流体を送達することができる。着脱可能なタッチ・スクリーン・コントローラ１５０などのコントローラや任意の適切な装置によって操作される流体制御モジュールによって、少なくとも１つの注射器１２０からの流量を調整することができる。流体制御モジュールにより、様々なピストン、バルブ、および／または流量調整装置を動作させて、注入流量、継続時間、全注入量、および／または造影剤と生理食塩水の比率などの、１つ以上のユーザが選択した注入パラメータに基づいて、生理食塩水やコントラストなどの医療用流体の患者への送達を調整することができる。
【００６１】
さらなる非限定的な例において、注入器１００は、より大きな流体送達システムの一部であってもよく、注入器１００の流体送達装置１３６は、ポータブルコンピュータ１５０、ネットワーク１６２、患者記録データベース１６４、複数の注射器識別センサ１８４、および二次コントローラ１８２のうちの１つ以上と通信してもよい（図７参照）。非限定的な例では、流体制御装置１３６および／またはポータブルコンピュータ１５０は、医療用スキャナまたは医療用画像機器、注入プロトコルデータベース、または注入処置に関連する他のシステムとさらに通信してもよい。
【００６２】
流体注入器システム１００の構造および機能を概ね説明したので、本開示に関連する様々な特徴をこれから図面を参照して説明する。図１は、本開示の非限定的な例による注入器１００を示す。注入器１００は、ポータブルコンピュータ１５０によって制御することができる内部流体制御装置（図１に図示せず、図７の１３６参照）を含むことができる。
【００６３】
ポータブルコンピュータは、１つ以上のプロセッサ、メモリ、ネットワークインターフェースなどを含むことができ、グラフィカル・ユーザ・インターフェース（「ＧＵＩ」）を含むディスプレイを生成するように構成することができ、ディスプレイにより、ユーザは、ディスプレイに生成されたグラフィカルアイコンや視覚インジケータを介して、様々な注入パラメータを見たりそれらと対話したりすることができる（例えば、図４参照）。非限定的な例では、ポータブルコンピュータ１５０は、着脱可能なタッチ・スクリーン・コントローラとして形成することができる。ポータブルコンピュータ１５０は、例えば、患者特定情報（年齢、体重、性別、撮像される器官、造影剤の投与量など）を含む１つ以上の注入パラメータを監視するために使用することができ、注入パラメータは、ユーザが入力してもよいし、データベース１６４、ネットワーク１６２、メモリ、または有線または無線の通信プロセスによってシステムと通信する別のコンピュータから呼び出すかダウンロードしてもよい。ポータブルコンピュータ１５０は、ユーザによって入力されてもよく、かつ／またはポータブルコンピュータ１５０、流体制御装置（図７の１３６）、および／または流体制御装置および／またはポータブルコンピュータと通信する別のコンピュータまたはプロセッサによって、データベースからダウンロードされたデータ、および／またはユーザによって入力されたデータに基づいて実行される１つ以上のアルゴリズム計算によって計算されてもよい、様々な注入パラメータを制御するようにさらに構成してもよい。
【００６４】
注入流量、注入開始時間、継続時間、１つ以上の流体のそれぞれの総注入量、注入残量、注入流体の比率、注入処置後に多回投与医療用流体容器に残っている１つ以上の流体の量、および造影剤や生理食塩水注入流体に関する様々な他のパラメータなどの、様々なユーザ選択注入パラメータ１７０（図４参照）や注入指示を、ポータブルコンピュータ１５０のタッチスクリーンに表示することができ、また、例えば、タッチスクリーンおよび／またはポータブルコンピュータ１５０と通信する１つ以上の別のコンピュータを使用することによってパラメータを変更するなど、少なくとも１つの入力または出力機構によってユーザが求めるように操作、表示、または記録することができる。ポータブルコンピュータ１５０はまた、流体制御装置または注入システムによって決定された警告または他の情報を表示して、注射器ポートに接続された注射器の低い流体レベル、注射器ポートで検出された注射器のサイズまたは種類、１つ以上の注射器の流体量、１つ以上の注射器の内容物、１つ以上の注射器での空気の検出、注射器が以前に使用されていることの表示、注射器が保存期間有効期限を過ぎたかどうかの表示、ロット番号または製造日または製造設備などの事象をユーザに知らせることができる。
【００６５】
図示した非限定的な例では、ポータブルコンピュータ１５０は注入器ハウジング１２５から着脱可能であり、室内の他の位置から遠隔的に、または注入器ハウジング１２５に取り付けられている間に、流体注入システムを操作するために利用することができる。ポータブルコンピュータ１５０は、１つ以上の電線を介して、ブルートゥース（登録商標）、近距離通信（ＮＦＣ）または他の無線周波数プロトコルなどの直接的な無線プロトコルを介して、および／またはローカルＷｉ−Ｆｉネットワークまたは安全なインターネット接続などの間接的な無線通信を介してなど、１つ以上の有線または無線通信接続を介して流体注入システムと通信することができる。しかし、本開示にしたがって様々な有線および無線通信機構を使用できることが理解されよう。
【００６６】
様々な例によれば、ポータブルコンピュータ１５０と流体制御装置１３６との間の無線通信により、ユーザは、患者および注入処置を絶え間なく監視しながら、ポータブルコンピュータ１５０を持って注入室中を自由に移動することができる。したがって、ユーザは、注入処置の制御を続けながら、注入器ハウジング１２５から手の届かないところでの注入処置の様々な局面に対処するために移動することができる。ポータブルコンピュータ１５０は、注入器アセンブリとドッキングすることができる（ドッキング位置にあるポータブルコンピュータを示す図１および図２と、ドッキングを解かれ取り外された位置にあるポータブルコンピュータ１５０を示す図３とを比較されたい）。様々な例によれば、ポータブルコンピュータ１５０は、内蔵充電式バッテリを備え、ポータブルコンピュータ１５０と注入器１００との間に電気的接続を提供することができる１つ以上のポート１４１を介して、注入器１００にドッキングされている間に充電または電荷を補充するように構成してもよい。さらにまたはその代わりに、独立型の充電ステーションまたはコンピュータによって、または電気コンセントへ接続することによって、ポータブルコンピュータ１５０を充電してもよい。
【００６７】
引き続き図１を参照すると、医療用流体トレイ２４２などの少なくとも１つの機能を設けて、医療用流体や、使い捨てチューブセット、注射器などの注入処置用の様々な使い捨て製品の効率的な取り扱いおよび／または収納を容易にすることができる。図示された非限定的な例では、医療用流体トレイは、注入器１００の支持部１１８に結合され、複数の医療用流体ボトル２４３を収容するように構成される。
【００６８】
図２を参照すると、注入器１００の非限定的な例が、取り付け位置にある着脱可能なポータブルコンピュータ１５０を有する立位のワークステーションとして示されており、支持部１１８は車輪を備えたベース２４４に取り付けられ、注入器１００が注入室中または部屋間を自由に移動できるようにしている。着脱可能なポータブルコンピュータ１５０を可動式立位ワークステーションと組み合わせることで、ユーザが、液体注入システムを患者の近くに移動させ、注入処置を準備し、その後、ポータブルコンピュータ１５０で注入を監視しながら注入室中を移動したり、遮蔽物の後ろに移動して放射線被ばくを低減させたりするためのさらなる移動の自由が与えられる。
【００６９】
図３は、取り外された形のタッチスクリーンを有するポータブルコンピュータ１５０を備えた流体注入システム１００の非限定的な例を示す。図示された非限定的な例では、ポータブルコンピュータ１５０と流体制御装置１３６（ハウジング１２５の内部）との間の無線通信により、ユーザと流体制御装置との間で連続して通信することができ、注入プロトコルの入力パラメータを迅速に監視し変更することが容易になる。注入装置の操作には、ポータブルコンピュータ１５０に配置されたタッチスクリーン、ソフトタッチキー、およびハードタッチキー、注入装置、または有線ローカル操作ステーション（図示せず）を任意に組み合わせて使用することなどがある。特定の実施形態では、スキャナによる１つ以上の画像をポータブルコンピュータ１５０に表示してユーザが見るようにできる。例えば、スキャナ内の患者の正しい方向または配置を決定するのに、またはコントラストのボーラスが対象部位に到達したことを突き止めるまたは確認するのに役立つテスト画像を撮って、画像化プロセスを向上することができる。さらに、ある実施形態では、ポータブルコンピュータに画像を表示することで、ユーザは、撮像処置が成功したこと、画像の明瞭さが十分であることを確認し、かつ／または画像を迅速に分析することができる。
【００７０】
図４は本開示の非限定的な例によるポータブルコンピュータ１５０のＧＵＩ１５１を示し、タッチスクリーンに表示される注入処置の様々な注入パラメータ１７０を示す。本明細書に記載されるように、例えば、ユーザがタッチスクリーンの適切なフィールドに触れ、タッチスクリーンに表示される電子キーパッドを用いて適切なデータを入力することによって、注入処置の前、途中、または後に様々なパラメータ１７０を監視、変更、または入力することができる。いくつかの例では、パラメータの一部または全部を保存し、ポータブルコンピュータや別のコンピュータ、例えば病院情報システムまたはネットワークから、無線でまたは有線接続によって患者記録データベースにアップロードすることができる。非限定的な構成では、様々なパラメータは自動的に、かつ／またはユーザコマンドに応答して保存されアップロードされてもよい。
【００７１】
他の非限定的な例によれば、本開示の流体注入システムは、注入器ハウジング１２５の上方に伸びるように構成され、例えば、多回投与流体容器などの少なくとも１つの容器を吊り下げるための、１つ以上の回動フック２５０などの少なくとも１つの吊り下げ機能を有する伸長／格納式ポール２００を備えることができる。様々な例によれば、本開示の流体注入システムは複数の連続的な注入処置に使用することができ、システムは複数患者部と単一患者部とを含む。これらの例では、複数の流体注入処置の間に、生理食塩水バッグまたは容器、コントラストボトル、または他の適切な医療用容器などの少なくとも１つの多回投与流体容器から、少なくとも１つの注射器１２０に適切な医療用流体を補充することができる。
【００７２】
使い易さと利便性のために、少なくとも１つの注射器１２０に充填または補充する間、または流体容器が少なくとも１つの注射器１２０と流体連通していない注入処置の間、少なくとも１つの多回投与流体容器を、ハウジング１２５の上方で、フック、トレイまたは他の突出部などの吊り下げ機能（例えば、２５０、２６０）から逆さまにして吊り下げてもよい。したがって、少なくとも１つの注射器１２０に補充し、次の注入処置のために流体注入システムを準備するために、注入処置後、多回投与流体容器をすぐに利用可能にできる。
【００７３】
図５Ａ〜図５Ｄは、本開示の流体注入システムの非限定的な例による、格納式ポール２００を有する注入器１００を示す。図５Ａを参照すると、格納式ポール２００は、収納するための格納位置に示され、流体注入システム１００のフットプリントを最小限にするとともに、１つ以上の医療用流体容器を吊るすための別個の車輪で移動できるＩＶポールの必要をなくすものである。格納式ポールは、使用者がつかめるように構成され、ポール２００を支持部１１８の上方に伸ばすのを容易にするように構成されたハンドル２１０または他の把持面を含む（図５Ｂの矢印Ｂ参照）。いくつかの例では、伸長可能なポールは特定の位置に保持またはロックすることができ、ハンドル２１０を動かす前または動かすと同時にボタン２３０を押すことで解除することができる。
【００７４】
図５Ｂは、格納式ポール２００が部分的に伸ばされた位置にある注入器１００を示す。図示された非限定的な例では、格納式ポール２００は複数の回動フック２５０を備え、少なくとも１つのフック２５０は、回動フックが格納式ポール２００の支持部材内に実質的に収容される格納位置から、回動フックの少なくとも一部が、連結された支持部材から離れるように伸びる展開位置まで回動可能である（図５Ｂの矢印Ｄ参照）。さらに、図示された非限定的な例では、格納式ポール２００は回転トレイ部材２６０をさらに含み、このトレイ部材２６０は格納式ポールの支持部材の縦軸の周りを、支持部材間に実質的に格納される位置から展開位置まで回転できることで、多回投与流体容器をトレイ部材に置く際に使用しやすくなる（図５Ｂの矢印Ｃを参照）。
【００７５】
特定の非限定的な例では、例えば、注射器１２０を注射器ポート１２６に装着することや、注射器に医療用流体を充填するのが容易になる略垂直な位置（すなわち、１つまたは複数の注射器ポートが上を向いている）と、例えば、注射器１２０内に入れられた医療用流体中の気泡の除去や注入処置の実行が容易になる反転位置との間で、注射器ポート１２６を含む注入器ハウジング１２５を一時的に回転および／または反転させるのが望ましい。したがって、本開示の非限定的な例において、ハウジングが支持部１１８および格納式ポール２００に対して回転できるように、ハウジング１２５を回転可能に支持部１１８に結合してもよい（図５Ｂの矢印Ａ参照）。
【００７６】
本明細書に記載した支持部１１８に対するハウジング１２５の回転により、ポータブルコンピュータ１５０は、ハウジング１２５のドッキングステーション１４２に係合すると、ハウジング１２５と共に回転することになる。したがって、いくつかの非限定的な例では、ハウジング１２５、支持部１１８、ドッキングステーション１４２、および少なくとも１つのポータブルコンピュータ１５０のうちの少なくとも１つは、少なくとも１つのポータブルコンピュータがドッキングステーションに係合している時と、任意で、取り外された状態にある間、少なくとも１つのポータブルコンピュータの向きを検出し、その向きを少なくとも１つのポータブルコンピュータに通知するように構成またはプログラムされた方位センサ（図７の１８５）をさらに備える。例えば、ジャイロセンサ、機械センサ、磁気センサ、光学センサ、またはそれらの任意の組み合わせなど、様々な方位センサを本開示にしたがって使用することができる。重力方向の変化の検出、光学センサまたは光学カメラによって検出される既知の点からの画像の回転、および／または、例えば、機械センサまたは磁気なセンサによって検出される既知の点からのハウジングの回転度を含むがこれらに限定されない様々なパラメータを用いて、向きを検出することができる。
【００７７】
ディスプレイを非９０°の角度で回転したとしても、ポータブルコンピュータ１５０は方位センサ１８５からのデータに基づいて、連続的または不連続的にハウジングの回転全体を通して、様々なタッチパッド機能を含むそのディスプレイの向きを垂直な向きに調整するように構成またはプログラムすることができる。ポータブルコンピュータに物理的または仮想的なタッチスクリーンを設けることにより、ユーザ体験をさらに改善して、ほぼ連続的に画像を見たり制御したりすることができる。例えば、ポータブルコンピュータのタッチスクリーンを円形に形成してもよいし、仮想円形インターフェースを四角形または他の形状のタッチスクリーンに表示してもよく、ポータブルコンピュータは、方位センサ１８５から受信した情報に少なくとも部分的に基づいて、ハウジングの回転全体を通して、仮想円形インターフェース内の画像を垂直な向きに連続的または不連続的に調整するように構成またプログラムすることができる。
【００７８】
図５Ｃは、吊り下げ機能２５０が展開状態にある、伸長位置にある格納式ポール２００を示す。非限定的な例では、ポール２００は格納位置と使用位置の２つの回転位置（図５Ｄに図示）を有することができる。この例によれば、格納式ポール２００は点２７０を中心に回転して（図５Ｄの矢印Ｅ参照）、格納式ポール２００を伸長／格納位置（図５Ｃ）から伸長使用位置（図５Ｄ）に動かすことができる。
【００７９】
図６は、少なくとも１つの吊り下げ機能２５０が少なくとも１つの注射器１２０の上に垂直方向に展開された、完全に展開された使用位置にある注入器１００の格納式ポール２００の一例を示す。この位置では、１つ以上の多回投与ボトル（図示せず）を、少なくとも１つの注射器１２０の上で回動フック２５０から逆さまにして吊り下げて、流体経路（図示せず）によって注射器１２０の流体ポートに取り付けることができ、流体連通と、多回投与流体容器から少なくとも１つの注射器１２０への医療用流体の流れが可能になる。図６は、格納式ポール２００の後方で展開位置にある回転棚部材２６０をさらに示す。この位置では、１つ以上の流体容器または他の物体を棚２６０に置き、格納式ポール２００の後ろに配置することができる。具体的な例では、ハンドルが完全に格納されてロックされた位置にあるか、完全に伸ばされてロックされた位置にある時、格納式ポール２００をハンドルとして使用して、注入アセンブリを運んだり車輪で移動することができる。
【００８０】
図７は、本開示の非限定的な例による流体送達を制御するシステム１０００を示す。図示された非限定的な例では、少なくとも１つのプロセッサを備える流体送達装置１３６をハウジング１２５の一部として形成するか、ハウジング１２５に結合し、注射器ポート１２６に係合した注射器１２０の注入および／または流体送達を制御するように構成またはプログラムすることができる。
【００８１】
図示された非限定的な例では、流体送達装置１３６は、本明細書で説明するように、ポータブルコンピュータ１５０、ネットワーク１６２、患者記録データベース１６４、複数の注射器識別センサ１８４、および二次コントローラ１８２と有線および／または無線通信する。さらなる非限定的な例では、ポータブルコンピュータ１５０は、医療用スキャナ、注入プロトコルデータベース、または他の装置またはシステムと有線または無線通信して、ユーザが医療用スキャナ、注入プロトコルデータベース、および／または医療注入処置に関連する他のシステムからのデータをダウンロード、アップロード、表示および／または操作できるようにさらに構成することができる。
【００８２】
非限定的な例では、二次コントローラは、複数のボタン、ＧＵＩを備えるタッチスクリーン、または他の入力機構を備えることができ、ポータブルコンピュータ１５０を使用して利用可能である機能に匹敵する機能の少なくとも１つのサブセットをユーザに提供することができる。非限定的な例では、二次コントローラ１８２はハウジング１２５に配置するかハウジング１２５に結合することができ、例えば、ポータブルコンピュータ１５０が利用できない時に、限定された制御オプションをユーザに提供するように構成される。非限定的な例では、機能のサブセットに、注入処置を開始および／または停止する機能を含めてもよい。非限定的な例では、二次コントローラ１８２は、ポータブルコンピュータ１５０がすぐに使用できないか手が届かない場所にある状況に対して、例えば、バックアップまたは緊急停止またはアボートとして機能することができる。さらなる非限定的な例では、二次コントローラ１８２はまた、注入を開始する機能、注入流量を変更する機能、または他の同様の処置を行う機能をユーザに提供することができる。
【００８３】
図７に示される非限定的な例では、ハウジング１２５には、ポータブルコンピュータ１５０に解除可能に係合するように構成され、ポート１４１を備えるドッキングステーション１４２がさらに設けられ、ポート１４１は、ポータブルコンピュータ１５０がドッキングステーション１４２に係合されると、ポータブルコンピュータ１５０に有線接続を提供することができる。ポータブルコンピュータ１５０のドッキングステーション１４２に対する取り付け／ドッキングは、非限定的な例において、機械的取り付け機構や磁気的取り付け機構によるものでもよい。図示された非限定的な例では、ドッキングステーション１４２に係合されると、ポータブルコンピュータ１５０が二次コントローラ１８２の少なくとも一部を覆い隠すように、ドッキングステーション１４２は配置されるが、任意で、ポータブルコンピュータ１５０がドッキングされた時、二次コントローラ１８２が見えたままであったり、使用可能なままであったりしてもよい。任意で、ポータブルコンピュータ１５０がドッキングステーション１４２内に係合している時、二次コントローラは停止しているようにさらに構成またはプログラムしてもよい。この構成により、ポータブルコンピュータ１５０がない場合に、例えば、二次コントローラ１８２で提供される冗長制御オプションを利用することが可能になり、ポータブルコンピュータ１５０がドッキングステーションにある時には、混乱やシステムへの不正なアクセスを防止するのに役立つ。
【００８４】
図７の非限定的な例では、流体制御装置１３６に、各注射器ポート１２６に接続され、流体制御装置１３６のプロセッサ１３６およびポータブルコンピュータ１５０と通信する注射器検出部１８４を設けることができる。各注射器検出部１８４は、カメラ、無線周波数受信機、光学ラベル読取機、磁気センサ、光学センサ、機械センサ、またはそれらの任意の組み合わせなどのセンサを含むことができ、このセンサは、対応する注射器ポート内に係合する注射器１２０についての識別情報を検出し、この情報をプロセッサ１３６および／またはポータブルコンピュータ１５０に通知するように構成される。
【００８５】
本開示と共に使用するよう意図された様々な注射器１２０は、注射器検出部による検出を容易にするために、対応する識別インジケータを備えることができる。非限定的な例において、注射器の一種は、機械センサによって識別可能な特定の識別パターンに配置される複数の溝または突起を備える保持機能を備えることができる。さらなる非限定的な例において、注射器は、磁気タグ、バーコード、バーコードまたはＱＲコード（登録商標）などのラベル、または注射器１２０に関する情報を与える他のインジケータを備えることができる。さらなる非限定的な例において、適切な画像認識ソフトウェアを備えるプロセッサと通信するカメラを備える注射器検出部１８４が、注射器の種類、投与量、気泡の有無、注射器が適切に装着されたという表示、および／または、注射器が以前に使用されたかどうかを示すか、注射器がその保存期間有効期限を過ぎているかどうかを示すような、他の識別特性を確認するのに使用することができる特徴的な形状または外観を注射器は有することができる。その他の識別特性としては、注射器ロット番号、製造日、および／または製造設備などがある。
【００８６】
流体制御装置１３６、ポータブルコンピュータ１５０、または注射器検出部１８４と通信する他のコンピュータは、注射器検出部１８４から、例えば、内部メモリから、ネットワーク１６２から、または注入プロトコルデータベースから得た情報に基づいて予めプログラムされた注入プロトコルを呼び出すように構成またはプログラムすることができる。さらにまたはその代わりに、注射器が、不適合な認可されていない種類であると判定されるか、以前に使用されていると判定された場合や、注入器に正しく装着されていない場合、流体制御装置１３６および／またはポータブルコンピュータ１５０は、警報および／または警告を与えたり、注入が行われるのを防いだりするように構成またはプログラムすることができる。いくつかの非限定的な例では、ポータブルコンピュータ１５０および／または流体制御装置１３６は、（本明細書に記載のユーザ識別情報検出器を使用して決定される）認定ユーザにマニュアル・オーバーライド・コマンドを要求し、オーバーライドコマンドを受信すると、ユーザが警報または警告を確認して、警報または警告をよそに注入を開始できるように、さらにプログラムまたは構成することができる。そのような場合、ポータブルコンピュータ１５０および／または流体制御装置１３６は、オーバーライドコマンドを受信したこと、およびその後に実行された任意の注入に関連する様々なパラメータを自動的に記録し、その結果生じる記録を、履歴および／または監視目的で、病院ネットワーク、第三者ネットワーク、および／またはシステムと通信する別のコンピュータに通知するようにさらに構成またはプログラムすることができる。
【００８７】
さらなる非限定的な例では、システムは、流体制御装置１３６および少なくとも１つのポータブルコンピュータ１５０のうちの少なくとも１つと通信および／または一体化する少なくとも１つのユーザ識別情報検出器を備えることができる。流体制御装置１３６および少なくとも１つのポータブルコンピュータ１５０のうちの少なくとも１つは、少なくとも１つのユーザ識別情報検出器から受信したデータに少なくとも部分的に基づいて、識別されたユーザが注入パラメータを見たり操作したり、かつ／または流体制御装置１３６に注入を開始させるのを選択的に許可するようにさらに構成またはプログラムすることができる。
【００８８】
一例として、ユーザ識別情報検出器は、バイオメトリックスキャナ、ＩＤカードリーダ、マイクロフォン、パスワード保護された機械可読媒体、複数のポータブルコンピュータのうちのどれが流体制御装置に指示を与えているかを特定するように構成またはプログラムされたポータブルコンピュータ識別センサ、またはそれらの任意の組み合わせのうちの少なくとも１つを含むことができる。１つの非限定的な例では、ユーザ識別情報検出器は、ポータブルコンピュータおよび二次コントローラのうちの１つと一体化している。
【００８９】
他の非限定的な例では、流体制御装置および／またはポータブルコンピュータは、異なるアクセスレベルのユーザを識別し、特定のレベルの認定ユーザのみに様々な機能へのアクセスを許可するようにプログラムまたは構成することができる。非限定的な例において、特定の医師は、自分の患者に対応する情報のみにアクセスを許可され、別の医師の患者に関する情報へのアクセスは拒否されるようにできる。さらなる非限定的な例では、注射器検出部が注射器が変わった種類または普通認可されない種類のものであると検出した場合や、注射器１２０の装着方法に異常があった場合に、オーバーライドコマンドを開始するために監視レベルのアクセスを必要とすることができる。さらなる非限定的な例では、下位のユーザが注入データを監視および確認したり、緊急停止を開始したりできるようにしてもよいが、注入を開始したり特定の注入パラメータを変更したりはできないようにしてもよい。他の実施形態では、例えば、任意の時間に流体制御装置１３６と通信することができる流体注入器の特定のユーザに割り当てられた複数のポータブルコンピュータ１５０装置が存在してもよい。特定の実施形態では、１人の認定ユーザのみが流体制御装置１３６を操作して、所定の時間に注入処置を実行できるようにし、特定の注入処置が完了するまですべての他のユーザが注入処置の特定の機能にアクセスしたりそれらを変更したりするのをロックアウトするようにシステムを構成することができる。特定の実施形態では、２つ以上のポータブルコンピュータ１５０が所定の時間に流体制御装置１３６を制御できないようにするロックアウト機能は、監督レベルなどの十分なアクセスレベルを有する認定ユーザによって無効にできる。
【００９０】
さらなる非限定的な例では、システムは、流体制御装置１３６および少なくとも１つのポータブルコンピュータ１５０と通信する近接センサをさらに備えることができる。流体制御装置は、近接センサからの情報に少なくとも部分的に基づいて、ポータブルコンピュータが注入器から所定の閾値（例えば、安全制御距離）よりも離れたところに位置する場合、ユーザが特定の機能にアクセスするのを防ぐようにさらに構成またはプログラムすることができる。その代わりにまたはさらに、ポータブルコンピュータ１５０および流体制御装置１３６のうちの少なくとも１つは、ポータブルコンピュータ１５０が注入器１００からの安全制御距離の外側にあることを示すディスプレイの視覚インジケータや可聴信号などの警告をユーザに与えるように構成することができる。非限定的な例において、流体制御装置は、ブルートゥース（登録商標）やＮＦＣなどの既知の範囲の無線周波数プロトコルを介してポータブルコンピュータと通信するように構成し、信号強度が、ポータブルコンピュータが安全制御距離内にあることを示す所定のレベルである場合にのみ注入指示を受け入れるように構成することができる。さらなる非限定的な例では、流体制御装置および／または少なくとも１つのポータブルコンピュータの位置は、ローカルネットワーク三角測量またはＧＰＳ技術を使用して求めることができ、流体制御装置および／または少なくとも１つのポータブルコンピュータは、ポータブルコンピュータが流体制御装置１３６からの安全制御距離の外側にあると判定された場合にはアクセスを制限するようにさらに構成することができる。本開示にしたがって、他の構成も可能であることが理解されよう。
【００９１】
その代わりにまたはさらに、非限定的な例において、流体制御装置および少なくとも１つのポータブルコンピュータのうちの１つは、少なくとも１つのポータブルコンピュータがドッキングステーションに係合していない時に、ユーザが特定の機能にアクセスできないように構成またはプログラムすることができる。例えば、ユーザは、ポータブルコンピュータが取り外されている間、様々な注入パラメータを確認、監視、および入力できるが、ポータブルコンピュータがドッキングステーションに係合している時にのみ注入を開始することができるようにしてもよい。
【符号の説明】
【００９２】
１００  流体注入器システム、流体注入システム
１１８  支持部
１２０  注射器
１２５  注入器ハウジング
１２６  注射器ポート
１３６  プロセッサ、流体制御装置、流体送達装置
１４１  ポート
１４２  ドッキングステーション
１５０  ポータブルコンピュータ、コントローラ
１６２  ネットワーク
１６４  患者記録データベース
１７０  ユーザ選択注入パラメータ
１８２  二次コントローラ
１８４  注射器識別センサ、注射器検出部
１８５  方位センサ
２００  格納式ポール
２１０  ハンドル
２３０  ボタン
２４２  医療用流体トレイ
２４３  医療用流体ボトル
２４４  ベース
２５０  フック、吊り下げ機能、回動フック
２６０  回転トレイ部材、回転棚部材
１０００  システム
【図１】
2018519883.tif 000003
【図２】
2018519883.tif 000004
【図３】
2018519883.tif 000005
【図４】
2018519883.tif 000006
【図５Ａ】
2018519883.tif 000007
【図５Ｂ】
2018519883.tif 000008
【図５Ｃ】
2018519883.tif 000009
【図５Ｄ】
2018519883.tif 000010
【図６】
2018519883.tif 000011
【図７】
2018519883.tif 000012
【国際調査報告】
2018519883.tif 000013
2018519883.tif 000014
2018519883.tif 000015